(57)【要約】【課題】作業終了時に主電源回路部のスイッチを切り操作しても安全に退場できるようにする。【解決手段】支持部の上側に膨張・収縮自在な透光性を略全体に備えたシート製バルーンを設け、そのバルーンの内側に光源装置１２を収容して、光源装置１２を保持している基部１３を支持部に固定し、バルーン膨張用空気の給気装置１５を基部１３に設けて、光源装置１２及び給気装置１５に対する主電源回路部に、蓄電部１８とその蓄電部１８に接続された光源１９を接続すると共に、主電源回路部のスイッチの切り操作に基づいて蓄電部１８から光源１９に電力が供給される補助発光回路部２０を設けてある。【選択図】図３
2012230829.tif 000002
【特許請求の範囲】
【請求項１】
支持部の上側に膨張・収縮自在な透光性を略全体に備えたシート製バルーンを設け、
そのバルーンの内側に光源装置を収容して、
前記光源装置を保持している基部を前記支持部に固定し、
バルーン膨張用空気の給気装置を前記基部に設けてあるバルーン式照明装置であって、
前記光源装置及び前記給気装置に対する主電源回路部に、蓄電部とその蓄電部に接続された光源を接続すると共に、前記主電源回路部のスイッチの切り操作に基づいて前記蓄電部から前記光源に電力が供給される補助発光回路部を設けてあるバルーン式照明装置。
【請求項２】
前記蓄電部にコンデンサーを設け、前記光源にＬＥＤランプを設けて、前記補助発光回路部に定電流回路を設けてある請求項１に記載のバルーン式照明装置。
【請求項３】
前記補助発光回路部を前記バルーンの内側に配置してある請求項１または２に記載のバルーン式照明装置。
【請求項４】
前記光源装置に複数のＬＥＤ素子とそのＬＥＤ素子を点灯するための主電源回路部を設け、
前記補助発光回路部によって前記蓄電部から電力が供給される前記光源を、前記複数のＬＥＤ素子の少なくとも１つで兼用させてある請求項１〜３のいずれか１項に記載のバルーン式照明装置。
【発明の詳細な説明】
【技術分野】
【０００１】
本発明は、支持部の上側に膨張・収縮自在な透光性を略全体に備えたシート製バルーンを設け、そのバルーンの内側に光源装置を収容して、前記光源装置を保持している基部を前記支持部に固定し、バルーン膨張用空気の給気装置を前記基部に設けてあるバルーン式照明装置に関する。
【背景技術】
【０００２】
従来の上記バルーン式照明装置は、通常、建築現場や道路工事現場などで使用され、作業終了時に、光源装置及び給気装置の主電源回路部のスイッチを切り操作すると、光源装置に対する電力供給は絶たれる構造になっているのが普通であった（例えば、特許文献１参照）。
【先行技術文献】
【特許文献】
【０００３】
【特許文献１】特開２００６−２５２８６９号公報
【発明の概要】
【発明が解決しようとする課題】
【０００４】
しかし、上記バルーン式照明装置では、スイッチの切り操作に基づいて前記現場は突然暗闇になってしまい、目が突然の暗闇になれない為に、退場しにくい場合があった。
【０００５】
従って、本発明の目的は、上記問題点を解消し、作業終了時に主電源回路部のスイッチを切り操作しても安全に退場できるようにするところにある。
【課題を解決するための手段】
【０００６】
本発明の第１の特徴構成は、支持部の上側に膨張・収縮自在な透光性を略全体に備えたシート製バルーンを設け、そのバルーンの内側に光源装置を収容して、前記光源装置を保持している基部を前記支持部に固定し、バルーン膨張用空気の給気装置を前記基部に設けてあるバルーン式照明装置であって、前記光源装置及び前記給気装置に対する主電源回路部に、蓄電部とその蓄電部に接続された光源を接続すると共に、前記主電源回路部のスイッチの切り操作に基づいて前記蓄電部から前記光源に電力が供給される補助発光回路部を設けてあるところにある。
【０００７】
本発明の第１の特徴構成によれば、主電源回路部に接続された蓄電部には、スイッチの入り状態の時に、電力供給されて蓄電され、スイッチの切り操作に基づいて補助発光回路部により蓄電部から光源に電力が供給されるために、蓄電部に蓄えられた電力が消耗するまで点灯し続ける。
従って、スイッチを切り操作した後、工事現場などの作業場を退場する間明るい状態を保ってくれるために、安全に作業を終えて、現場を離れることができる。
【０００８】
本発明の第２の特徴構成は、前記蓄電部にコンデンサーを設け、前記光源にＬＥＤランプを設けて、前記補助発光回路部に定電流回路を設けてあるところにある。
【０００９】
本発明の第２の特徴構成によれば、光源にＬＥＤランプを設けることにより、少ない電力で長く点灯させられ、小さな容量のコンデンサーでも充分に蓄電することができる。
従って、省電力で小型の安価な装置に形成できる。
【００１０】
本発明の第３の特徴構成は、前記補助発光回路部を前記バルーンの内側に配置してあるところにある。
【００１１】
本発明の第３の特徴構成によれば、バルーンの内側に補助発光回路部を配置してあるために、場所を取らず小型の装置に形成することができる。
【００１２】
本発明の第４の特徴構成は、前記光源装置に複数のＬＥＤ素子とそのＬＥＤ素子を点灯するための主電源回路部を設け、前記補助発光回路部によって前記蓄電部から電力が供給される前記光源を、前記複数のＬＥＤ素子の少なくとも１つで兼用させてあるところにある。
【００１３】
本発明の第４の特徴構成によれば、ＬＥＤ素子を設けた光源装置は少ない電力で照明でき、そのＬＥＤ素子の少なくとも１つを使用して補助発光回路部による蓄電部からの電力供給で退場時の補助点灯が可能になり、全体として省電力でしかも兼用化によるコストの低減が可能になる。
【図面の簡単な説明】
【００１４】
【図１】使用状態のバルーン式照明装置で、（ａ）は、全体正面図、（ｂ）は、全体側面図である。
【図２】折り畳み状態のバルーン式照明装置で、（ａ）は、正面図、（ｂ）は、側面図である。
【図３】光源装置及び補助発光回路部の斜視図である。
【図４】補助発光回路部の電気回路図である。
【発明を実施するための形態】
【００１５】
以下に本発明の実施の形態を図面に基づいて説明する。
図１（ａ）、（ｂ）に示すように、走行ハンドル１を設けた上下伸縮フレーム２の下部に、出退自在な接地用アウトリガー３と走行輪４と後方接地脚５を設けると共に、前記伸縮フレーム２の上部に照明器具６を設けると共に、下部にスイッチを備えた主電源回路部７を設けて移動自在なバルーン式照明装置を構成してある。
なお、伸縮フレーム２の上下中間部には、手押し用の走行ハンドル１と、そのハンドル取付部８に、バルーン収納カバー９を設け、図２（ａ）、（ｂ）に示すように、収納時や移動時に伸縮フレーム２を収縮させた状態で、バルーン収納カバー９でバルーン１０を包み込んで収容できるように構成してある。
【００１６】
前記照明器具６は、図１、図３に示すように、伸縮フレーム２の上部にバルーン下部プレート１１が取り付けられ、そのバルーン下部プレート１１に膨張・収縮自在な透光性の布に樹脂コーティングをしたシート製バルーン１０を設け、そのバルーン１０の内側に光源装置１２を収容して、光源装置１２を保持している基部１３を、バルーン下部プレート１１に取り付けてある。
前記光源装置１２は、光源用電球１４としてのメタルハライドランプと、その光源用電球１４のソケットを保持している筒状基部１３とを備え、タービンなどのバルーン膨張用空気の給気装置１５を設けて構成してある。
【００１７】
前記バルーン下部プレート１１には、図３に示すように、光源用電球１４がバルーン１０に接触したり他物との衝突で破損しないように、光源用電球１４の周囲を囲む篭状のガード１６を取り付け、また、タービンのＤＣ電源基盤１７と共に、主電源回路部７に電気接続された蓄電部１８と、その蓄電部１８に接続された光源１９、及び、主電源回路部７のスイッチの切り操作に基づいて蓄電部１８から光源１９に電力を供給する補助発光回路部２０とが設けられている。
【００１８】
図４の電気回路に示すように、前記蓄電部１８に５分間の電力印加により満充電となるコンデンサー２１を設け、光源１９にＬＥＤランプを設けて、補助発光回路部２０に定電流回路２２を設けてある。従って、主電源回路部７に付設のスイッチが切り操作されるか電源コンセントプラグが抜かれると、補助発光回路部２０が作動してコンデンサー２１の放電により、約５分間はＬＥＤランプがフルに点灯し、それ以降徐々に減光して１５分後には完全に消灯となるように構成されている。
【００１９】
〔別実施形態〕
以下に他の実施の形態を説明する。
【００２０】
〈１〉  前記光源装置１２には、メタルハライド電球に代えて複数のＬＥＤ素子とそのＬＥＤ素子を点灯するための主電源回路部７を設けてあっても良く、この場合、補助発光回路部２０によって蓄電部１８から電力が供給される光源１９を、複数のＬＥＤ素子の少なくとも１つで兼用させてあれば良い。
〈２〉  前記バルーン下部プレート１１は、伸縮フレーム２の上部に取り付けて高さ位置変更自在にしてある物に代えて、上下揺動フレームの上部に取り付けてあっても良い。
【００２１】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２２】
７      主電源回路部
１０    バルーン
１２    光源装置
１３    基部
１５    給気装置
１８    蓄電部
１９    光源
２０    補助発光回路部
２１    コンデンサー
２２    定電流回路
【図１】
2012230829.tif 000003
【図２】
2012230829.tif 000004
【図３】
2012230829.tif 000005
【図４】
2012230829.tif 000006